(57)【要約】【課題】赤青白の発光ダイオード一群を円柱体の外面に螺旋帯状に配列し、円柱体を透明性筒体で囲み円柱体を電動機とギア機構で回転させて螺旋帯状配列発光ダイオードによって理髪店用の看板装置としたものがあるが、駆動電動機とギア機構と発光ダイオードへの給電用ブラシとスリップリングが必要となる。本発明はこの電動機、ギア機構、ブラシ、スリップリングを必要としない発光表示器であって、発光表示器内が安定動作するための排熱機構として、防水に適した構成を提供するものである。【解決手段】縦長の左側と右側の表看板と前方突出状に交差配置され、両表看板によって囲まれた空間の裏側を裏板で塞いだ中空の略三角柱形状の表示塔とし、縦方向の複数列と横方向の複数行とに発光素子が配列された縦長の左側と右側の基板が左側看板と右側看板の裏側に並設され、左側基板の列と行の発光素子と右側基板の列と行の発光素子の発光が制御部にて制御されること。【選択図】図１
2009092885.tif 000002
【特許請求の範囲】
【請求項１】
縦長の左側カバー板と縦長の右側カバー板が前方突出状に交差配置された透光性の二面
カバー部を形成し、前記左側カバー板と前記右側カバー板によって囲まれた空間の裏側を
塞ぐ縦長の裏板で囲まれた中空（内部空間）の略三角柱形状の表示塔をなし、それぞれ縦
方向の複数列と横方向の複数行とに発光素子が配列された縦長の左側基板と縦長の右側基
板を備え、前記左側基板が前記左側カバー板の裏側に並設され、前記右側基板が前記右側
カバー板の裏側に並設され、前記左側基板の列と行の前記発光素子と前記右側基板の列と
行の前記発光素子の発光が制御部にて制御されることを特徴とする発光表示器。
【請求項２】
縦長の左側カバー板と縦長の右側カバー板が前方突出状に交差配置された透光性の二面
カバー部を形成し、前記左側カバー板と前記右側カバー板によって囲まれた空間の裏側を
塞ぐ縦長の裏板で囲まれた中空（内部空間）の略三角柱形状の表示塔をなし、それぞれ縦
方向の複数列と横方向の複数行とに発光素子が配列された縦長の左側基板と縦長の右側基
板を備え、前記左側基板が前記左側カバー板の裏側に並設され、前記右側基板が前記右側
カバー板の裏側に並設され、前記左側基板の列と行の前記発光素子と前記右側基板の列と
行の前記発光素子の発光を制御する制御部を備え、下部に前記中空（内部空間）への空気
の吸気口を有し上部に前記中空（内部空間）からの空気の排気口を有し、前記中空（内部
空間）には前記吸気口から吸い込んだ空気を前記排気口から排気する送風機を前記排気口
よりも上方位置に配置したことを特徴とする発光表示器。
【発明の詳細な説明】
【技術分野】
【０００１】
本発明は、発光素子による発光表示器に関し、特に理髪店用等の看板として適する発光
表示器に関する。
【背景技術】
【０００２】
赤色、青色、白色の発光ダイオード同士を一群として、これらの多数が円柱体の外面に
螺旋帯状に配列され、この円柱体を取り囲むようにこの円柱体と同心状に透明性の筒体を
配置し、前記円柱体を電動機とギア機構によって回転させることによって、螺旋帯状配列
の一群の発光ダイオードによって、理髪店用の看板装置としたものがある。（特許文献１
参照）。
【特許文献１】特開２００６−１４５６０７号公報
【発明の開示】
【発明が解決しようとする課題】
【０００３】
この特許文献１のものでは、蛍光灯によって照射される赤色、青色、白色の螺旋状の着
色面を備えた円柱体を電動機とギア機構によって回転させる方式を発光ダイオードに替え
た方式であり、円柱体を回転させる電動機とギア機構が必要であると共に、更に、この回
転中における発光ダイオードへの通電を維持するための給電装置として、ブラシとスリッ
プリングが必要となり、機械的な機構のために製造的にも複雑化した構成である。
【０００４】
本発明は、電子回路によって縦横配列の発光ダイオードを制御部によって発光状態を制
御し、特許文献１のような電動機、ギア機構、ブラシ、スリップリングを必要としない発
光表示器を提供するものである。また特許文献１では、円柱体の外面に発光ダイオードが
螺旋状配置に設けられるため、円柱体の外面への発光ダイオードの取り付けと配置が面倒
である。更に、円柱体と同心状に配置した透明性の筒体を配置しているため、透明性の筒
体の作製はコストアップとなる。本発明は、これに替わる板状の透光体とし、且つ、発光
ダイオードの取り付けも板状の基板に取り付けることができる新規な構成とすることによ
って、このような特許文献１の課題を解決する。更に、この発光表示器内が安定動作する
ための排熱機構として、防水に適した構成を提供するものである。
【課題を解決するための手段】
【０００５】
第１発明の発光表示器は、縦長の左側カバー板と縦長の右側カバー板が前方突出状に交
差配置された透光性の二面カバー部を形成し、前記左側カバー板と前記右側カバー板によ
って囲まれた空間の裏側を塞ぐ縦長の裏板で囲まれた中空（内部空間）の略三角柱形状の
表示塔をなし、それぞれ縦方向の複数列と横方向の複数行とに発光素子が配列された縦長
の左側基板と縦長の右側基板を備え、前記左側基板が前記左側カバー板の裏側に並設され
、前記右側基板が前記右側カバー板の裏側に並設され、前記左側基板の列と行の前記発光
素子と前記右側基板の列と行の前記発光素子の発光が制御部にて制御されることを特徴と
する。
【０００６】
第２発明の発光表示器は、縦長の左側カバー板と縦長の右側カバー板が前方突出状に交
差配置された透光性の二面カバー部を形成し、前記左側カバー板と前記右側カバー板によ
って囲まれた空間の裏側を塞ぐ縦長の裏板で囲まれた中空（内部空間）の略三角柱形状の
表示塔をなし、それぞれ縦方向の複数列と横方向の複数行とに発光素子が配列された縦長
の左側基板と縦長の右側基板を備え、前記左側基板が前記左側カバー板の裏側に並設され
、前記右側基板が前記右側カバー板の裏側に並設され、前記左側基板の列と行の前記発光
素子と前記右側基板の列と行の前記発光素子の発光を制御する制御部を備え、下部に前記
中空（内部空間）への空気の吸気口を有し上部に前記中空（内部空間）からの空気の排気
口を有し、前記中空（内部空間）には前記吸気口から吸い込んだ空気を前記排気口から排
気する送風機を前記排気口よりも上方位置に配置したことを特徴とする。
【発明の効果】
【０００７】
本発明によって、発光ダイオードが螺旋状に配置された円柱体を回転させる従来方式に
おいて必要であった円柱体を回転させる電動機とギア機構が不要となり、更に、この回転
中における発光ダイオードへの通電を維持するための給電装置としてのブラシとスリップ
リングが不要となり、構成が簡素化される。更に、円柱体と同心状に配置した透明性の筒
体で覆う構成に替わって、製作の容易な平板状透光体で覆い、それに伴って発光ダイオー
ドの取り付けも平板状の基板に取り付けることができる新規な構成とすることによって、
左右共通の基板が採用でき製作コストの低減が図られ、且つ新規な外観形態をもつ動的表
示を行う新規な発光表示器とすることができる。
【０００８】
また、第２発明では、送風機によって内部の熱を排出して安定動作を確保できると共に
、送風機は、吸気口及び排気口よりも上方位置に配置されることによって、雨水が吸気口
及び排気口から侵入しても送風機に掛かることがないので、送風機を雨水から護る厳密な
防水構造が不要となり、組み立てし易く構造も簡素化され、コスト低減が図れる構成とな
る。
【発明を実施するための最良の形態】
【０００９】
本発明の発光表示器は、縦長の左側カバー板と縦長の右側カバー板が前方突出状に交差
配置された透光性の二面カバー部を形成し、前記左側カバー板と前記右側カバー板によっ
て囲まれた空間の裏側を塞ぐ縦長の裏板で囲まれた中空（内部空間）の略三角柱形状の表
示塔をなし、それぞれ縦方向の複数列と横方向の複数行とに発光素子が配列された縦長の
左側基板と縦長の右側基板を備え、前記左側基板が前記左側カバー板の裏側に並設され、
前記右側基板が前記右側カバー板の裏側に並設され、前記左側基板の列と行の前記発光素
子と前記右側基板の列と行の前記発光素子の発光が制御部にて制御されるものであり、本
発明の実施例を以下に記載する。
【実施例１】
【００１０】
本発明の実施形態について説明する。図１は本発明に係る発光表示器の正面斜視図、図
２は本発明に係る発光表示器の正面図、図３は本発明に係る発光表示器の左側面図、図４
は本発明に係る発光表示器の右側面図、図５は本発明に係る発光表示器の背面図、図６は
本発明に係る発光表示器の底面図、図７は本発明に係る発光表示器のカバー部における横
断平面図、図８は本発明に係る発光表示器の制御装置の構成図、図９は本発明に係る発光
表示器の左側基板における発光素子の配置と結線を示す図、図１０は本発明に係る発光表
示器の右側基板における発光素子の配置と結線を示す図、図１１は本発明に係る発光表示
器の発光素子の配置と結線を示す拡大図、図１２は本発明に係る発光表示器の発光単位部
の発光素子７Ｂ、７Ｇ、７Ｒの配置構成を示す図である。
【００１１】
これらの図において、１は本発明の発光表示器を示しており、発光表示器１は、下部の
不透明の機体部１Ａと上部の不透明の機体部１Ｂの間に、発光表示器１の前面の大半を占
める透光性のカバー部３を備えている。カバー部３は、透光性の縦長の左側カバー板２Ａ
と透光性の縦長の右側カバー板２Ｂが、前方突出状に交差配置されて透光性の二面カバー
部３を構成している。左側カバー板２Ａと右側カバー板２Ｂは、それぞれ透光性のアクリ
ル樹脂等の透光性の平板部で構成されている。好ましい形態として、一枚の透光性アクリ
ル樹脂が中央部で略９０度の交差角度で前方突出状に屈曲して、縦長平板形状の左側カバ
ー板２Ａと縦長平板形状の右側カバー板２Ｂを形成する。
【００１２】
カバー部３は、縦長平板形状の左側カバー板２Ａと縦長平板形状の右側カバー板２Ｂが
中央接合部４Ａで接合される構成でもよい。この場合、中央接合部４Ａを不透明な接合部
材によって左側カバー板２Ａと右側カバー板２Ｂを接合するようにすれば、左右配置の左
側カバー板２Ａと右側カバー板２Ｂが不連続的になるが、これを避けるために、中央接合
部４Ａは、左側カバー板２Ａと右側カバー板２Ｂ同士が接着剤によって接合された構成と
する方法か、または透光性部材によって構成した接合部材によって接合する方法によって
、左右配置の左側カバー板２Ａと右側カバー板２Ｂが連続するカバー部を呈するように見
せることができる。
【００１３】
左側カバー板２Ａと右側カバー板２Ｂによって囲まれた空間９の裏側を塞ぐように縦長
平板形状の裏板５が設けられ、左側カバー板２Ａと右側カバー板２Ｂの後端部は、それぞ
れ左側接合部４Ｂと右側接合部４Ｃによって裏板５の左端部と右端部とに接合されている
。左側接合部４Ｂと右側接合部４Ｃは、金属等の不透明部材で構成された裏板５の左右端
を折り曲げにて一体に形成した構成でもよく、また裏板５とは別体に形成した接合部材で
もって、左側カバー板２Ａと右側カバー板２Ｂの後端部と、裏板５の左右端とが接合され
る構成でもよい。また、左側カバー板２Ａの下端と右側カバー板２Ｂの下端は下部機体部
１Ａに接合され、左側カバー板２Ａの上端と右側カバー板２Ｂの上端は上部機体部１Ｂに
接合されている。このため、発光表示器１は、左側カバー板２Ａと右側カバー板２Ｂと裏
板５によって囲まれた中空９の略三角柱形状をなし、下部機体部１Ａと上部機体部１Ｂも
これ合わせた形態とすることによって、全体として略三角柱形状の表示塔を呈している。
【００１４】
左側カバー板２Ａの裏側には略平行して左側基板６Ａが並設され、右側カバー板２Ｂの
裏側には略平行して右側基板６Ｂが並設されている。左側基板６Ａは左側カバー板２Ａと
略同じ大きさまたは若干大きい前面を有する縦長平板形状であり、右側基板６Ｂは右側カ
バー板２Ｂと略同じ大きさまたは若干大きい前面を有する縦長平板形状である。左側基板
６Ａと右側基板６Ｂには、図１２に示すように、それぞれ青色・緑色・赤色の発光を呈す
る発光素子７Ｂ、７Ｇ、７Ｒを一組の発光単位部８としてそれぞれ縦方向の複数列と横方
向の複数行とに配列されている。図示のものは、この発光単位部８が左側基板６Ａと右側
基板６Ｂに、それぞれ垂直方向の３列と水平方向の２４行に配列されており、発光素子７
Ｂ、７Ｇ、７Ｒとして、青色発光を呈する発光ダイオード７Ｂ、緑色発光を呈する発光ダ
イオード７Ｇ、赤色発光を呈する発光ダイオード７Ｒで構成している。
【００１５】
左側基板６Ａと右側基板６Ｂは、左側カバー板２Ａと右側カバー板２Ｂの全体に対応す
る縦長の大きさのものを作って、発光素子７Ｂ、７Ｇ、７Ｒを取り付けることはコストア
ップとなるため、図２、図８乃至図１２に示すように、左側基板６Ａは、複数の単位基板
として、上部基板６Ａ１、中部基板６Ａ２、下部基板６Ａ３によって一連の左側基板６Ａ
を構成し、右側基板６Ｂは、単位基板として上部基板６Ｂ１、中部基板６Ｂ２、下部基板
６Ｂ３によって一連の右側基板６Ｂを構成する方式を採用している。上部基板６Ａ１、中
部基板６Ａ２、下部基板６Ａ３の各発光単位部８と、上部基板６Ｂ１、中部基板６Ｂ２、
下部基板６Ｂ３の各発光単位部８は、図１２に示す配置であり、それぞれ発光単位部８が
、縦方向列が３列の横方向行が８行の配列構成となっている。
【００１６】
左側基板６Ａの列と行の発光単位部８の発光素子７Ｂ、７Ｇ、７Ｒと、右側基板６Ｂの
列と行の発光単位部８の発光素子７Ｂ、７Ｇ、７Ｒが、連続した斜め方向の線状発光また
は帯状発光となるように制御すると共に、この線状発光または帯状発光の発光位置が上方
または下方へその移動するように、左側基板６Ａの列と行の発光単位部８の発光素子７Ｂ
、７Ｇ、７Ｒと、右側基板６Ｂの列と行の発光単位部８の発光素子７Ｂ、７Ｇ、７Ｒの発
光が順次上方または下方へ移動するように制御する制御部１０を備えている。
【００１７】
制御部１０によって制御される制御装置ＳＧの全体構成は、図８に示している。制御部
１０は、左側基板６Ａの発光単位部８の発光素子７Ｂ、７Ｇ、７Ｒと、右側基板６Ｂの発
光単位部８の発光素子７Ｂ、７Ｇ、７Ｒが、連続した斜め方向の青色発光状態と、連続し
た斜め方向の赤色発光状態と、連続した斜め方向の白色発光状態とが一群の斜め発光帯ま
たは斜め発光線となって、上方へ移動するように発光制御する。
【００１８】
このため、図８に示す左側基板６Ａ（６Ａ１、６Ａ２、６Ａ３）の発光単位部８の発光
素子７Ｂ、７Ｇ、７Ｒのうち、赤色発光素子７Ｒの配置と制御回路を図９乃至図１２に示
す。上部基板６Ａ１の各列各行の赤色発光素子７Ｒは、各縦列に一直線状で且つ各横行に
一直線状に配置され、制御部１０に対するそれらの結線は、図９及び図１１に点線枠Ｐ１
で囲ったように、上列目の赤色発光素子７Ｒと、その下段列目の赤色発光素子７Ｒと、更
にその下段列目の赤色発光素子７Ｒが、斜め右上がりの直線配置となるように直列接続さ
れている。このように上部基板６Ａ１の各列各行の赤色発光素子７Ｒは、斜め右上がりの
直線配置結線されている。図示のものは３個の赤色発光素子７Ｒが斜め右上がりの直線配
置結線であるが、これに限らず、基板面積が大きければ、更に多くの赤色発光素子７Ｒが
斜め右上がりの直線配置結線となる構成でもよい。
【００１９】
図９には、発光表示器１の左側基板６Ａを構成する上部基板６Ａ１、中部基板６Ａ２、
下部基板６Ａ３の発光単位部８の発光素子７Ｂ、７Ｇ、７Ｒのうち、赤色発光素子７Ｒの
配置と制御部１０に対する結線を示している。各基板６Ａ１、６Ａ２、６Ａ３の赤色発光
素子７Ｒの配置と制御部１０の定電流ドライブ回路１０Ａ１、１０Ａ２、１０Ａ３の出力
端子ＴＳ１、ＴＳ２、ＴＳ３に対する結線は、図９及び図１１に示す３個の赤色発光素子
７Ｒの斜め右上がりの直線配置結線と同様であり、各基板６Ａ１、６Ａ２、６Ａ３の赤色
発光素子７Ｒの配置と制御部１０に対する結線が、全体として斜め右上がりの直線配置結
線となっている。
【００２０】
特に、基板６Ａ１の下部の赤色発光素子７Ｒと基板６Ａ２の上部の赤色発光素子７Ｒと
で、斜め右上がりの直線配置結線となっており、基板６Ａ全体として、斜め右上がりの直
線配置結線となっている。具体的には、点線枠Ｐ２で囲まれた、基板６Ａ１の７行目の３
列目と８行目の２列目の赤色発光素子７Ｒは、基板６Ａ２の１行目の１列目の赤色発光素
子７Ｒとで、斜め右上がりの直線配置結線となっており、また、点線枠Ｐ３で囲まれた、
基板６Ａ１の８行目の３列目の赤色発光素子７Ｒは、基板６Ａ２の２行目の１列目の赤色
発光素子７Ｒと１行目の２列目の赤色発光素子７Ｒとで、斜め右上がりの直線配置結線と
なっている。
【００２１】
点線枠Ｐ２及び点線枠Ｐ３で囲まれた基板６Ａ２の下部の赤色発光素子７Ｒと、基板６
Ａ３の上部の赤色発光素子７Ｒも、基板６Ａ１の下部の赤色発光素子７Ｒと基板６Ａ２の
上部の赤色発光素子７Ｒとの関係と同様に、斜め右上がりの直線配置結線となっている。
このような結線によって、基板６Ａ１、６Ａ２、６Ａ３の赤色発光素子７Ｒの配置と制御
部１０の定電流ドライブ回路１０Ａ１、１０Ａ２、１０Ａ３の出力端子ＴＳ１、ＴＳ２、
ＴＳ３に対する結線は、基板６Ａ全体として発光素子が等間隔で平行な斜め右上がりの直
線配置結線となる。このような結線は、左側基板６Ａを構成する上部基板６Ａ１、中部基
板６Ａ２、下部基板６Ａ３の発光単位部８の発光素子７Ｂ、７Ｇについても同様である。
【００２２】
このような結線において、斜め右上がりの直線配置の左右各３個（合計６個）の赤色発
光素子７Ｒが同時点灯することによって、略斜め右上がりの直線状の赤色発光帯（または
発光線）が形成される。制御部１０は、斜め右上がりの直線配置の左右各３個（合計６個
）の赤色発光素子７Ｒの点灯によって形成される赤色発光帯（または発光線）の下側に平
行して、白色発光帯（または発光線）が位置するように、発光単位部８の発光素子７Ｂ、
７Ｇ、７Ｒが点灯する白色発光帯（または発光線）を形成する。更に、この白色発光帯（
または発光線）の下側に平行して、青色発光帯（または発光線）が位置するように、発光
単位部８の発光素子７Ｂが点灯する青色発光帯（または発光線）を形成するように、各発
光単位部８の発光素子の点灯を制御する。
【００２３】
更に、制御部１０は、このような赤色発光帯（または発光線）、白色発光帯（または発
光線）、青色発光帯（または発光線）が一組の斜め帯状発光帯（または発光線）となって
上方または下方へ移動するように、制御部１０の定電流ドライブ回路１０Ａ１、１０Ａ２
、１０Ａ３の出力端子ＴＳ１、ＴＳ２、ＴＳ３への通電が順次上方または下方へ切り替わ
るように制御している。制御部１０は、マイクロコンピュータ方式であり、ＣＰＵ（中央
演算処理部）とデータを記憶するメモリ等を備えている。
【００２４】
具体的には、制御部１０からは、各定電流ドライブ回路１０Ａ１、１０Ａ２、１０Ａ３
に対して、入力ラインＬ１のラッチ信号と、入力ラインＬ２のクロック信号と、入力ライ
ンＬ３の発光輝度信号と、入力ラインＬ４のデータ信号が入力される。入力ラインＬ４か
ら入力されるデータ信号はいずれの発光素子を発光させるかの信号である。また、入力ラ
インＬ１のラッチ信号は、各定電流ドライブ回路１０Ａ１の出力端子ＴＳ１、定電流ドラ
イブ回路１０Ａ２の出力端子ＴＳ２、定電流ドライブ回路１０Ａ３の出力端子ＴＳ３のい
ずれの端子をＯＮ状態とするかの制御を行うものであり、入力ラインＬ４のデータ信号と
入力ラインＬ１のラッチ信号に基づいて、出力端子ＴＳ１、ＴＳ２、ＴＳ３に接続された
所定の斜め右上がりの直線状配置の発光素子７Ｒが発光し、斜め右上がりの直線状の赤色
発光帯（または発光線）が形成される。
【００２５】
実施例では、直線状の赤色発光帯（または発光線）の上下幅をある程度広く取るために
、斜め右上がりの直線状配置の発光素子７Ｒは、上下方向に隣接配置された４段の発光素
子７Ｒが同時発光（例えば点線枠Ｐ１で囲まれた３個直列の発光素子７Ｒの上下４段が同
時発光）して、斜め右上がりの直線状の赤色発光帯が形成される構成としている。
【００２６】
そして、入力ラインＬ１のラッチ信号によって、出力端子ＴＳ１、ＴＳ２、ＴＳ３のＯ
Ｎ状態となる端子が順次上方または下方へ移動するように切り替られることにより、前記
一組の斜め帯状発光帯（または発光線）が上方または下方へ移動する。この切り替わりス
ピードは制御部１０によって予め定められている。これらの動作は、入力ラインＬ２のク
ロック信号によってタイミング（同期）を取りつつ行われる。
【００２７】
上記の説明は、発光表示器１の左側基板６Ａを構成する上部基板６Ａ１、中部基板６Ａ
２、下部基板６Ａ３の発光単位部８の発光素子７Ｂ、７Ｇ、７Ｒのうち、赤色発光素子７
Ｒの配置と制御部１０に対する結線、並びにこれらの動作を説明したが、発光素子７Ｂ、
７Ｇについても、まったく同様である。
【００２８】
このため青色発光については、発光単位部８の発光素子７Ｂが点灯することによって形
成される青色発光帯（または発光線）の場合も、上下方向に隣接配置された４段の発光単
位部８の発光素子７Ｂが同時発光（例えば図９に示す点線枠Ｐ１で囲まれた３個直列の発
光素子７Ｒと同様に設けた発光素子７Ｂの上下４段が同時発光）して、斜め右上がりの直
線状の青色発光帯が形成される構成となる。また発光素子７Ｇの場合もまったく同様であ
る。更に、発光単位部８の発光素子７Ｂ、７Ｇ、７Ｒが同時点灯することによって形成さ
れる白色発光帯（または発光線）の場合も、上下方向に隣接配置された４段の発光単位部
８の発光素子７Ｂ、７Ｇ、７Ｒが同時発光（例えば点線枠Ｐ１で囲まれた発光素子７Ｒと
同様にそれぞれ設けた３個直列の発光素子７Ｂ、７Ｇ、７Ｒの上下４段が同時発光）して
、斜め右上がりの直線状の白色発光帯が形成される構成となる。
【００２９】
そして、入力ラインＬ１のラッチ信号によって、出力端子ＴＳ１、ＴＳ２、ＴＳ３のＯ
Ｎ状態となる端子が順次上方または下方へ移動するように切り替えられることにより、前
記一組の斜め帯状発光帯（または発光線）が上方または下方へ移動することも上記同様で
ある。また、この切り替わりスピードは制御部１０によって予め定められており、これら
の一連の動作は、入力ラインＬ２のクロック信号によってタイミング（同期）を取りつつ
行われることも、上記同様である。
【００３０】
また、図１０には、右側基板６Ｂを構成する上部基板６Ｂ１、中部基板６Ｂ２、下部基
板６Ｂ３の発光単位部８の発光素子７Ｂ、７Ｇ、７Ｒのうち、赤色発光素子７Ｒの配置と
制御部１０に対する結線を示しており、上部基板６Ｂ１、中部基板６Ｂ２、下部基板６Ｂ
３に対する定電流ドライブ回路をそれぞれ１０Ａ１０、１０Ａ２０、１０Ａ３０で示して
いるが、赤色発光素子の配置と制御部１０に対する結線、並びにこれらの動作は、上記の
左側基板６Ａの赤色発光素子７Ｒの場合とまったく同様であるため、説明を省略する。ま
た、右側基板６Ｂを構成する上部基板６Ｂ１、中部基板６Ｂ２、下部基板６Ｂ３の発光単
位部８の発光素子７Ｂ、７Ｇの配置と制御部１０に対する結線、並びにこれらの動作につ
いても、まったく同様であるため、説明を省略する。更に、発光単位部８の発光素子７Ｂ
、７Ｇ、７Ｒが同時点灯することによって形成される白色発光帯（または発光線）の場合
も上記同様であり、上下方向に隣接配置された４段の発光単位部８の発光素子７Ｂ、７Ｇ
、７Ｒが同時発光（例えば点線枠Ｐ１で囲まれた３個直列の発光素子７Ｂ、７Ｇ、７Ｒの
上下４段が同時発光）して、斜め右上がりの直線状の白色発光帯が形成される構成も、上
記同様である。
【００３１】
ここで、左側基板６Ａの赤色発光素子７Ｒと右側基板６Ｂの赤色発光素子７Ｒによって
、一連の斜め右上がりの直線状の赤色発光帯（または発光線）が形成される構成を説明す
る。例えば、図９に示す左側基板６Ａの点線枠Ｐ１１で囲まれた３個直列の赤色発光素子
７Ｒと、図１０に示す右側基板６Ｂの点線枠Ｐ１１で囲まれた３個直列の赤色発光素子７
Ｒが、発光表示器１の前面視で一直線上に配置された構成となっており、これが同時発光
することによって、一連の斜め右上がりの直線状の赤色発光帯（または発光線）が形成さ
れるようになっている。
【００３２】
このため、左側基板６Ａの定電流ドライブ回路１０Ａ１と、右側基板６Ｂの定電流ドラ
イブ回路１０Ａ１０が、入力ラインＬ１のラッチ信号、入力ラインＬ２のクロック信号、
及び入力ラインＬ４のデータ信号が所定のタイミング（同期）によって、図９の点線枠Ｐ
１１で囲まれた３個直列の赤色発光素子７Ｒと、図１０の点線枠Ｐ１１で囲まれた３個直
列の赤色発光素子７Ｒが同時発光して、一連の斜め右上がりの直線状の赤色発光帯（また
は発光線）が形成されるように、制御部１０のＣＰＵによって制御される。これは、上記
のように、直線状の赤色発光帯（または発光線）の上下幅をある程度広く取るために、斜
め右上がりの直線状配置の発光素子７Ｒが、上下方向に隣接配置された４段の発光素子７
Ｒが同時発光（例えば点線枠Ｐ１で囲まれた３個直列の発光素子７Ｒの上下４段が同時発
光）して、斜め右上がりの直線状の赤色発光帯が形成される場合も同様である。
【００３３】
また、左側基板６Ａの青色発光素子７Ｂと右側基板６Ｂの青色発光素子７Ｂによって、
一連の斜め右上がりの直線状の青色発光帯（または発光線）を形成する場合も同様である
。つまり、例えば、図９に示す左側基板６Ａの点線枠Ｐ１１で囲まれた３個直列の青色発
光素子７Ｂ（７Ｒと同位置）と、図１０に示す右側基板６Ｂの点線枠Ｐ１１で囲まれた３
個直列の青色発光素子７Ｂ（７Ｒと同位置）が、発光表示器１の前面視で一直線上に配置
された構成となっており、これが同時発光することによって、一連の斜め右上がりの直線
状の赤色発光帯（または発光線）が形成されるようになっている。
【００３４】
更に、左側基板６Ａの発光単位部８の発光素子７Ｂ、７Ｇ、７Ｒと、右側基板６Ｂの発
光単位部８の発光素子７Ｂ、７Ｇ、７Ｒが同時点灯することによって形成される白色発光
帯（または発光線）の場合も上記同様であり、また、上下方向に隣接配置された４段の発
光単位部８の発光素子７Ｂ、７Ｇ、７Ｒが同時発光（例えば点線枠Ｐ１で囲まれた３個直
列の発光素子７Ｂ、７Ｇ、７Ｒの上下４段が同時発光）して、斜め右上がりの直線状の白
色発光帯が形成される構成も、上記同様である。
【００３５】
発光表示器１の動作は、リモートコントローラ１１によって制御するようにできる。こ
の場合、リモートコントローラ１１から発する無線信号や赤外線信号を制御部１０が受信
センサ１７で受信して、発光表示器１の動作のＯＮ／ＯＦＦ制御や、発光単位部８の発光
素子７Ｂ、７Ｇ、７Ｒの発光輝度の変更や、発光パターンの選択（斜め一列の発光単位部
８を発光させるか、斜め２列の発光単位部８を発光させるか等の選択）等を操作できるよ
うにする。なお、制御部１０が照度センサ１８によって発光表示器１の周囲の光を感知し
、昼間等の明るいときは発光単位部８の発光素子７Ｂ、７Ｇ、７Ｒの発光輝度を高くし、
また、夜間等の明るいときは発光単位部８の発光素子７Ｂ、７Ｇ、７Ｒの発光輝度を低く
して、周囲の状況に応じた発光状態となるように自動制御するようにしている。
【００３６】
定電流ドライブ回路１０Ａ１、１０Ａ２、１０Ａ３の入力ラインＬ３は、照度センサ１
８の動作に基づき制御部１０が発する制御信号によって、各発光単位部８の発光素子７Ｂ
、７Ｇ、７Ｒの発光輝度を変更する信号が入力される。入力ラインＬ３の制御信号は、Ｏ
Ｎ・ＯＦＦ信号（矩形波）であり、このＯＮ・ＯＦＦの周期が長いときは各発光素子７Ｒ
の発光輝度が低く、ＯＮ・ＯＦＦの周期が短いときは各発光素子７Ｒの発光輝度が高くな
るように制御される。
【００３７】
上記のように、図９乃至図１２に示す構成からも明らかなように、左側基板６Ａの上部
基板６Ａ１、中部基板６Ａ２、下部基板６Ａ３の各発光単位部８の配列と数は同じ（図示
のものは、縦方向列が３列の横方向行が８行の配列であるが、これに限定されない）であ
る。また、右側基板６Ｂの上部基板６Ｂ１、中部基板６Ｂ２、下部基板６Ｂ３の各発光単
位部８の配列と数も同じ（図示のものは、縦方向列が３列の横方向行が８行の配列である
が、これに限定されない）である。このため、左側基板６Ａと右側基板６Ｂは、同じ上部
基板、中部基板、下部基板を使用できるものとなり、左側基板６Ａと右側基板６Ｂの作製
が容易となり、発光表示器１への組み立てが容易となり、低コスト化できるものとなる。
【００３８】
また、各左側基板６Ａの上部基板６Ａ１、中部基板６Ａ２、下部基板６Ａ３の各発光単
位部８の発光素子の発光制御を行う定電流ドライブ回路１０Ａ１、１０Ａ２、１０Ａ３も
同じ構成であり、また、右側基板６Ｂの上部基板６Ｂ１、中部基板６Ｂ２、下部基板６Ｂ
３の各発光単位部８の発光素子の発光制御を行う定電流ドライブ回路１０Ａ１０、１０Ａ
２０、１０Ａ３０も、定電流ドライブ回路１０Ａ１、１０Ａ２、１０Ａ３と同じ構成とす
ることができる。このため、左側基板６Ａと右側基板６Ｂ用の定電流ドライブ回路の作製
が容易となり、発光表示器１への組み立てが容易となり、低コスト化できるものとなる。
【００３９】
これから明らかなように、左側基板６Ａの上部基板６Ａ１、中部基板６Ａ２、下部基板
６Ａ３の各発光単位部８の配列と数は同じである。また、右側基板６Ｂの上部基板６Ｂ１
、中部基板６Ｂ２、下部基板６Ｂ３の各発光単位部８の配列と数も同じである。このため
、左側基板６Ａと右側基板６Ｂは、同じ上部基板、中部基板、下部基板を使用できるもの
となり、左側基板６Ａと右側基板６Ｂの作製が容易となり、低コスト化できるものとなる
。
【００４０】
発光表示器１は、上記のように、左側カバー板２Ａと右側カバー板２Ｂと裏板５によっ
て囲まれた中空９（内部空間９）に、発光素子７Ｂ、７Ｇ、７Ｒを含む左側基板６Ａと右
側基板６Ｂ、及び制御部１０が収納され、これらを冷却する電動機１２Ａで駆動される送
風機１２が中空９（内部空間９）の上部に収納されている。発光表示器１は、下部に表示
塔内の中空９（内部空間９）への空気の吸気口１３を備え、上部に中空９（内部空間９）
からの空気の排気口１４を備えている。図示のものは、吸気口１３が発光表示器１の下部
の左右両側面と底面に形成され、排気口１４が発光表示器１の上部の背面と左側面に形成
されている。
【００４１】
送風機１２は、シロッコファンが採用され、排気口１４に通じるダクト２６の上部に連
通した円形状ファンケース２７に収納され、シロッコファンの空気の吸込み口が発光表示
器１の前面に向いて設置されている。ダクト２６とファンケース２７は、裏板５に沿って
取り付けられており、中空９（内部空間９）が前方へ張り出した部分にシロッコファンの
空気の吸込み口が臨むため、空気の吸い込む面積が確保し易くなる。送風機１２の運転に
よって、図５等に点線矢印１５で示すように、吸気口１３から発光表示器１内へ吸い込ま
れた空気は、送風機１２を通ってダクト２６で導かれ、排気口１４から発光表示器１外へ
排出される。このため、発光素子７Ｂ、７Ｇ、７Ｒを含む左側基板６Ａと右側基板６Ｂ、
及び制御部１０が発する熱が排出され、安定動作が確保される。送風機１２は、吸気口１
３及び排気口１４よりも上方位置に配置されており、これによって吸気口１３や排気口１
４から侵入する雨水から送風機１２及びその駆動用電動機１２Ａを保護することができる
。なお、発光表示器１の底面には、吸気口１３や排気口１４から中空９（内部空間９）内
へ侵入した雨水を排出する排水孔２４が設けられている。
【００４２】
制御部１０には、商用電源のコンセントに差し込まれる差し込みプラグ１６から、電源
部を構成するフィルター回路１９とスイッチング電源２０を通して１２ボルト電源が印加
されている。制御部１０は、中空９（内部空間９）の温度感知センサ２１の検知に基づき
、所定温度以上において送風機１２を運転して、発光素子７Ｂ、７Ｇ、７Ｒを含む左側基
板６Ａと右側基板６Ｂ、及び制御部１０を過熱から保護する。中空９（内部空間９）には
温度保護用センサ２２が設けられ、異常温度に達したとき制御部１０への通電を遮断する
ようにして安全維持を図っている。制御部１０とその電源部は、下部の機体部１Ａ内に防
水構造で収納されている。
【００４３】
上記では、発光素子７Ｂ、７Ｇ、７Ｒの発光の組み合わせや、発光輝度の調節等によっ
て、種々の発光色状態とすることができ、看板として発光色の異なるものを採用するのに
適したものとなる。
【００４４】
上記では、発光単位部８の発光素子７Ｂ、７Ｇ、７Ｒが、それぞれ青色発光素子、緑色
発光素子、赤色発光素子で構成しているが、これに替わって、青色発光素子、白色発光素
子、赤色発光素子で構成したものであっても同様である。また、この発光素子７Ｂ、７Ｇ
、７Ｒは、有機発光素子で構成してもよい。
【産業上の利用可能性】
【００４５】
本発明は、上記実施例に示した構成に限定されず、上記の基本形態を維持しつつ各種の
構成を含む発光表示器とすることができるものであり、本発明の技術範囲内において種々
の形態を包含するものである。
【図面の簡単な説明】
【００４６】
【図１】本発明に係る発光表示器の正面斜視図である。（実施例１）
【図２】本発明に係る発光表示器の正面図である。（実施例１）
【図３】本発明に係る発光表示器の左側面図である。（実施例１）
【図４】本発明に係る発光表示器の右側面図である。（実施例１）
【図５】本発明に係る発光表示器の背面図である。（実施例１）
【図６】本発明に係る発光表示器の底面図である。（実施例１）
【図７】本発明に係る発光表示器のカバー部における横断平面図である。（実施例１）
【図８】本発明に係る発光表示器の制御装置の構成図である。（実施例１）
【図９】本発明に係る発光表示器の左側基板における発光素子の配置と結線を示す図である。（実施例１）
【図１０】本発明に係る発光表示器の右側基板における発光素子の配置と結線を示す図である。（実施例１）
【図１１】本発明に係る発光表示器の発光素子の配置と結線を示す拡大図である。（実施例１）
【図１２】本発明に係る発光表示器の発光単位部の発光素子７Ｂ、７Ｇ、７Ｒの配置構成を示す図である。（実施例１）
【符号の説明】
【００４７】
１・・・・・発光表示器
２Ａ・・・・左側カバー板
２Ｂ・・・・右側カバー板
３・・・・・カバー部
５・・・・・裏板
６Ａ・・・・左側基板
６Ａ１・・・上部基板
６Ａ２・・・中部基板
６Ａ３・・・下部基板
７Ｂ、７Ｇ、７Ｒ・・・発光素子
８・・・・・発光単位部
９・・・・・中空（内部空間）
１０・・・・制御部
１０Ａ１、１０Ａ２、１０Ａ３・・・定電流ドライブ回路
１０Ａ１０、１０Ａ２０、１０Ａ３０・・・定電流ドライブ回路
１２・・・・送風機
１２Ａ・・・電動機
１３・・・・吸気口
１４・・・・排気口
２６・・・・ダクト
ＳＧ・・・・制御装置
ＴＳ１、ＴＳ２、ＴＳ３・・・端子部
ＴＳ１０、ＴＳ２０、ＴＳ３０・・・端子部
【図１】
2009092885.tif 000003
【図２】
2009092885.tif 000004
【図３】
2009092885.tif 000005
【図４】
2009092885.tif 000006
【図５】
2009092885.tif 000007
【図６】
2009092885.tif 000008
【図７】
2009092885.tif 000009
【図８】
2009092885.tif 000010
【図９】
2009092885.tif 000011
【図１０】
2009092885.tif 000012
【図１１】
2009092885.tif 000013
【図１２】
2009092885.tif 000014